(57)【特許請求の範囲】
【請求項１】
複数の表示モードにて動作する表示装置において、
表示中の映像のホワイトバランスを調整するための調整ウィンドウを生成する調整ウィンドウ生成手段と、
上記調整ウィンドウ生成手段によって生成された調整ウィンドウを表示する表示手段と、
上記調整ウィンドウ上にユーザによって指定された調整値を目標点として、ホワイトバランスを調整する調整手段と、を備え、
上記調整ウィンドウは、ホワイトバランスの調整値を、選択されている表示モードにおけるホワイトバランスの初期値を原点とする平面であって、第１の調整方向を示す第１軸と、当該第１の調整方向とは異なる調整方向を示す第２軸とによって張られる平面上に示すものであり、
上記第１軸は、ｘｙ色度図における黒体輻射方向を示し、
上記第２軸は、上記第１軸に直交する軸であって上記ｘｙ色度図における等色温度方向を示し、
上記調整手段は、上記平面上にユーザによって指定された調整値に対応する、上記ｘｙ色度図上の目標点を目標とするホワイトバランス調整を行うものであり、
ある表示モードにて上記目標点が設定可能な領域の少なくとも一部が、他の表示モードにて上記目標点が設定可能な領域に重複している、
ことを特徴とする表示装置。
【請求項２】
上記第１軸の正方向の端部には、上記ｘｙ色度図における黒体輻射軌跡に沿った低温度の色度に対応する第１の淡色アイコンが表示されており、上記第１軸の負方向の端部には、上記黒体輻射軌跡に沿った高温度の色度に対応する第２の淡色アイコンが表示されており、
上記第２軸の正方向の端部には、上記黒体輻射軌跡からの正の偏差を有する色度に対応する第３の淡色アイコンが表示されており、上記第２軸の負方向の端部には、上記黒体輻射軌跡からの負の偏差を有する色度に対応する第４の淡色アイコンが表示されている、
ことを特徴とする請求項１に記載の表示装置。
【請求項３】
白画像を生成する白画像生成手段をさらに備え、
上記表示手段は、上記白画像生成手段によって生成された上記白画像を、調整ウィンドウと共に、上記表示中の映像に重畳して表示する、
ことを特徴とする請求項１または２に記載の表示装置。
【請求項４】
上記表示手段は、上記白画像を、上記調整ウィンドウの周囲に表示する、
ことを特徴とする請求項３に記載の表示装置。
【請求項５】
上記表示手段は、上記白画像を、上記調整ウィンドウの表示される位置と異なる位置に表示する、
ことを特徴とする請求項３に記載の表示装置。
【請求項６】
上記調整ウィンドウ生成手段は、上記第１の淡色アイコン、第２の淡色アイコン、第３の淡色アイコン、及び第４の淡色アイコンのそれぞれに対応する色度を、上記ユーザによって指定された調整値に応じて変更する、
ことを特徴とする請求項２に記載の表示装置。
【請求項７】
上記調整ウィンドウ生成手段は、上記ユーザによって指定された調整値に対応する上記目標点の色を示すカーソルを、ユーザによって指定される直前の調整値に対応する上記目
標点の色を示すカーソルに重ねて表示する調整ウィンドウを生成する、
ことを特徴とする請求項２に記載の表示装置。
【請求項８】
請求項２に記載の表示装置と、
ユーザからの指示を受け付けるためのリモコンと、
を備えている表示システムにおいて、
上記各淡色アイコンは、上記リモコンの操作ボタンに付された色とは異なる色を有している、
ことを特徴とする表示システム。
【請求項９】
複数の表示モードにて動作する表示装置におけるホワイトバランスの調整方法であって、
表示映像のホワイトバランスを調整するための調整ウィンドウを生成する調整ウィンドウ生成ステップと、
上記調整ウィンドウ生成ステップにおいて生成された調整ウィンドウを表示する表示ステップと、
上記調整ウィンドウ上にユーザによって指定された調整値を目標点として、ホワイトバランスを調整する調整ステップと、を含み、
上記調整ウィンドウは、ホワイトバランスの調整値を、選択されている表示モードにおけるホワイトバランスの初期値を原点とする平面であって、第１の調整方向を示す第１軸と、当該第１の調整方向とは異なる調整方向を示す第２軸とによって張られる平面上に示すものであり、
上記第１軸は、ｘｙ色度図における黒体輻射方向を示し、
上記第２軸は、上記第１軸に直交する軸であって上記ｘｙ色度図における等色温度方向を示し、
上記調整ステップは、上記平面上にユーザによって指定された調整値に対応する、上記ｘｙ色度図上の目標点を目標とするホワイトバランス調整を行うものであり、
ある表示モードにて上記目標点が設定可能な領域の少なくとも一部が、他の表示モードにて上記目標点が設定可能な領域に重複している、
ことを特徴とする調整方法。
【請求項１０】
請求項１から７の何れか１項に記載の表示装置を備えている、
ことを特徴とするテレビジョン受像機。
【請求項１１】
請求項１から７の何れか１項に記載の表示装置が備えているコンピュータを動作させるプログラムであって、上記コンピュータを上記の各手段として機能させるためのプログラム。
【請求項１２】
請求項１１に記載のプログラムを記録したコンピュータ読み取り可能な記録媒体。
【発明の詳細な説明】
【技術分野】
【０００１】
本発明は、ホワイトバランスを調整する表示装置、表示システム、及び、その調整方法に関する。
【背景技術】
【０００２】
一般に、色覚には個人差がある。このため、多くの表示装置は、表示されるＲＧＢ各色のゲインを調整することによって、ユーザによってより自然な白を表示するためのホワイトバランス調整機能を有している。
【０００３】
例えば、特許文献１には、指定された任意の範囲に関する色情報に対応する色座標を特定する印を、色調整用に用意された色相環又は色相バーチャート上の該当位置に表示し、作業者に提示する色調整装置が開示されている。
【０００４】
特許文献２には、ｘｙ色度図におけるｘ座標及びｙ座標に対応する色味を表示する枠体内に色温度の初期値を示す第１のポインタ、及び、色温度が調整されたモニタの調整値を示す、座標の変更可能な第２のポインタを表示し、第２のポインタによって示される調整値に基づいて、モニタの色温度を変更する色温度調整装置が開示されている。
【０００５】
また、特許文献３には、色度図における黒体輻射カーブに沿った方向、及び、黒体輻射カーブに直交する方向に補正値を調整し、調整された補正値に応じて画像のホワイトバランスを補正する画像処理装置が開示されている。
【０００６】
一方、近年、複数の表示モードを切り替えて映像を表示することのできるテレビが開発されている。このようなテレビは、例えば、映画である映像を表示する場合には、表示モードをムービーモードに切り替えて映像を表示する。
【先行技術文献】
【特許文献】
【０００７】
【特許文献１】特開２００７−１５０９４３号公報（２００７年６月１４日公開）
【特許文献２】特開２０１１−９１６９０号公報（２０１１年５月６日公開）
【特許文献３】特開２０１１−４０９７５号公報（２０１１年２月２４日公開）
【特許文献４】特開２００６−１９８３５号公報（２００６年１月１９日公開）
【特許文献５】特開２００４−１１８４４２号公報（２００４年４月１５日公開）
【発明の概要】
【発明が解決しようとする課題】
【０００８】
しかし、特許文献１、２に記載の技術は、複数の表示モードを切り替えて映像を表示する構成については何ら考慮されていない。また、特許文献３に記載の技術は、撮影された静止画像（すなわち、写真）のホワイトバランスを調整する技術に関するものであり、複数の表示モードを切り替えることについては何ら考慮されていない。
【０００９】
このため、これらの技術をホワイトバランス調整に用いたとしても、全ての表示モードに対して同じホワイトバランスが適用されてしまう。このため、ユーザは、表示モードを切り替える度に、ホワイトバランスが所望のものとなるようにホワイトバランス調整を再度行う必要があるという問題があった。
【００１０】
本発明は、上記の問題に鑑みてなされたものであり、その目的は、複数の表示モードに対してそれぞれ最適なホワイトバランスを設定することのできる表示装置を提供することにある。
【課題を解決するための手段】
【００１１】
本発明に係る表示装置は、上記の課題を解決するために、複数の表示モードにて動作する表示装置において、表示中の映像のホワイトバランスを調整するための調整ウィンドウを生成する調整ウィンドウ生成手段と、上記調整ウィンドウ生成手段によって生成された調整ウィンドウを表示する表示手段と、上記調整ウィンドウ上にユーザによって指定された調整値を目標点として、ホワイトバランスを調整する調整手段と、を備え、上記調整ウィンドウは、ホワイトバランスの調整値を、選択されている表示モードにおけるホワイトバランスの初期値を原点とする平面であって、第１の調整方向を示す第１軸と、当該第１の調整方向とは異なる調整方向を示す第２軸とによって張られる平面上に示すものである、ことを特徴としている。
【００１２】
上記の構成によれば、上記調整ウィンドウ生成手段によって上記表示モード毎に異なった初期値を調整値の原点とする調整ウィンドウが生成され、上記表示手段によって上記表示モード毎に異なった初期値を調整値の原点とする調整ウィンドウが表示される。
【００１３】
これによって、ユーザは、上記表示モード毎に、自身の嗜好に合ったホワイトバランスの調整を容易に行うことができる。したがって、ユーザは、複数の表示モードに対してそれぞれ最適なホワイトバランスを設定することができる。
【００１４】
また、本発明に係る表示装置において、上記第１軸は、ｘｙ色度図における黒体輻射方向を示し、上記第２軸は、上記第１軸に直交する軸であって上記ｘｙ色度図における等色温度方向を示し、上記調整手段は、上記平面上にユーザによって指定された調整値に対応する、上記ｘｙ色度図上の目標点を目標とするホワイトバランス調整を行う、ことが好ましい。
【００１５】
上記の構成によれば、上記調整ウィンドウには、上記ｘｙ色度図において一般に直交しない黒体輻射方向及び等色温度方向が、直交する２軸で表される座標平面の各軸によって表現されている。
【００１６】
これにより、ユーザは、上記ｘｙ色度図が上記調整ウィンドウに直接表示される場合よりも高い操作性にてホワイトバランスを調整することができる。また、ユーザは、調整ウィンドウを介して調整操作を行うことによって、ホワイトバランスの黒体輻射方向の変位と等色温度方向の変位とを独立に調整することができるので、例えば、ｘ値及びｙ値を独立に調整する場合や、ＲＧＢ各色を独立に調整する構成に比べて、より直感的にホワイトバランスの調整を行うことができる。
【００１７】
また、本発明に係る表示装置における上記第１軸の正方向の端部には、上記ｘｙ色度図における黒体輻射軌跡に沿った低温度の色度に対応する第１の淡色アイコンが表示されており、上記第１軸の負方向の端部には、上記黒体輻射軌跡に沿った高温度の色度に対応する第２の淡色アイコンが表示されており、上記第２軸の正方向の端部には、上記黒体輻射軌跡からの正の偏差を有する色度に対応する第３の淡色アイコンが表示されており、上記第２軸の負方向の端部には、上記黒体輻射軌跡からの負の偏差を有する色度に対応する第４の淡色アイコンが表示されている、ことが好ましい。
【００１８】
上記の構成によれば、上記第１軸と上記第２軸とによって張られる平面上にユーザによって指定される調整値が、上記第１軸及び上記第２軸の何れの方向に移動する場合に、上
記表示装置に表示される映像の何れの色の色味が増すかを明示的に示すことができる。したがって、ユーザは、ホワイトバランスの調整をより容易に行うことができる。
【００１９】
また、本発明に係る表示装置は、白画像を生成する白画像生成手段をさらに備え、上記表示手段は、上記白画像生成手段によって生成された上記白画像を、調整ウィンドウと共に、上記表示中の映像に重畳して表示する、ことが好ましい。
【００２０】
ここで、上掲した特許文献４には、色グラディエーション画像などをカラーテストパターンとして表示映像と共に表示し、色調整を行いたい画像領域、及び、変更したい色を、表示映像量及びカラーテストパターン上でそれぞれ指定することによって色調整を行う技術が開示されている。しかし、特許文献４の技術では、ユーザ自身が調整する色を選択する必要があって、作業が煩雑になってしまう。また、一部分のみの色調整を行うと、映像全体として違和感が生まれてしまう場合もある。
【００２１】
一方、上記の構成によれば、上記表示装置を利用するユーザは、ホワイトバランスを調整する際に、表示中の映像に重畳された白画像を参照することができる。したがって、ユーザは、表示されている映像によらず、白画像を基準としてホワイトバランスの調整を行うことができるため、ホワイトバランスの調整をより容易に行うことができる。
【００２２】
また、本発明に係る表示装置における上記表示手段は、上記白画像を、上記調整ウィンドウの周囲に表示する、ことが好ましい。
【００２３】
上記の構成によれば、ユーザは、上記白画像を参照する際に、上記調整ウィンドウから視線を大きく外す必要がないため、ホワイトバランスの調整をよりスムーズに行うことができる。
【００２４】
また、本発明に係る表示装置における上記表示手段は、上記白画像を、上記調整ウィンドウの表示される位置と異なる位置に表示する、ことが好ましい。
【００２５】
上記の構成によれば、上記表示装置は、上記白画像を上記調整ウィンドウとは別に表示する。したがって、ユーザは、上記白画像を、上記表示中の映像の一部として参照することができるため、表示中の映像をより自然なホワイトバランスに調整することができる。
【００２６】
また、本発明に係る表示装置における上記調整ウィンドウ生成手段は、上記第１の淡色アイコン、第２の淡色アイコン、第３の淡色アイコン、及び第４の淡色アイコンのそれぞれに対応する色度を、上記ユーザによって指定された調整値に応じて変更する、ことが好ましい。
【００２７】
ここで、上褐の特許文献５には、色調整手段として、色相環調整ツール及び明度調整バーを含むユーザインターフェース（ＧＵＩ）を表示し、当該ＧＵＩに従ったユーザ操作を受け付けることによって色調整を行う画像色補正装置が開示されている。しかし、特許文献５に記載の技術では、ユーザは、色相環調整ツール又は明度調整バーをどの程度動かすと、どの程度の色調整が行われるかを容易に把握することができず、色調整を行うための操作が煩雑になってしまうという問題があった。これは、画像色補正装置を利用するユーザが、色調整に詳しくなく、色相環及び明度などの言葉を容易に理解することができないことが一般的であるからである。
【００２８】
一方、上記の構成によれば、上記表示装置は、現在の調整値に応じて上記第１〜第４の淡色アイコンの色を調整することができ、また、新たにユーザによって調整値が指定された場合には、当該新たに指定された調整値に応じて上記第１〜第４の淡色アイコンの色を
変更することができる。したがって、ユーザは、上記第１〜第４の淡色アイコンを参照することによって、調整値を何れの淡色アイコンの方向に移動させた場合にホワイトバランスがどのように変化するのかを確認しながら、ホワイトバランスの調整を行うことができる。これによって、ユーザは、ホワイトバランスの調整を直感的に行うことができるため、ホワイトバランスを調整するための操作が煩雑になることを防ぐことができる。
【００２９】
また、本発明に係る表示装置における上記調整ウィンドウ生成手段は、上記ユーザによって指定された調整値に対応する上記目標点の色を示すカーソルを、ユーザによって指定される直前の調整値に対応する上記目標点の色を示すカーソルに重ねて表示する調整ウィンドウを生成する、ことが好ましい。
【００３０】
上記の構成によれば、上記表示装置は、ユーザによって指定された調整値に対応するｘｙ色度図上の目標点の色と、ユーザによって指定される直前の調整値に対応するｘｙ色度図上の目標点の色とを、併せてユーザに提示することができる。
【００３１】
これによって、ユーザは、調整値の指定の前後におけるホワイトバランスの目標点となる色の変化を容易に確認することができるため、より容易に所望のホワイトバランスに調整することができる。
【００３２】
また、本発明に係る表示システムは、上記表示装置と、ユーザからの指示を受け付けるためのリモコンと、を備えている表示システムにおいて、上記各淡色アイコンは、上記リモコンの操作ボタンに付された色とは異なる色を有している、ことが好ましい。
【００３３】
上記の構成によれば、上記各淡色アイコンの色と上記リモコンの操作ボタンに付された色とが異なっている。これにより、上記各淡色アイコンの色と上記リモコンの操作ボタンに付された色とが同じである場合と比較して、ユーザに、各アイコンに各操作ボタンが対応していると誤認させてしまう可能性を減らすことができる。したがって、ユーザが、操作ボタンを誤って押してしまうという誤操作を減らすことができる。
【００３４】
また、本発明に係る表示装置の調整方法は、上記の課題を解決するために、複数の表示モードにて動作する表示装置におけるホワイトバランスの調整方法であって、表示映像のホワイトバランスを調整するための調整ウィンドウを生成する調整ウィンドウ生成ステップと、上記調整ウィンドウ生成ステップにおいて生成された調整ウィンドウを表示する表示ステップと、上記調整ウィンドウ上にユーザによって指定された調整値を目標点として、ホワイトバランスを調整する調整ステップと、を含み、上記調整ウィンドウは、ホワイトバランスの調整値を、選択されている表示モードにおけるホワイトバランスの初期値を原点とする平面であって、第１の調整方向を示す第１軸と、当該第１の調整方向とは異なる調整方向を示す第２軸とによって張られる平面上に示すものである、ことを特徴としている。
【００３５】
上記の構成によれば、上記調整ウィンドウ生成ステップにおいて上記表示モード毎に異なった初期値を調整値の原点とする調整ウィンドウが生成され、上記表示ステップにおいて上記表示モード毎に異なった初期値を調整値の原点とする調整ウィンドウが表示される。
【００３６】
これによって、ユーザは、上記表示モード毎に、自身の嗜好に合ったホワイトバランスの調整を容易に行うことができる。したがって、ユーザは、複数の表示モードに対してそれぞれ最適なホワイトバランスを設定することができる。
【００３７】
なお、上記表示装置を備えるテレビジョン受像機も本発明の範疇に含まれる。
【００３８】
また、本発明の目的は、コンピュータを上記表示装置として動作させるためのプログラムによっても達成することができる。そして、そのようなプログラム自体のみならず、そのようなプログラムが記録されているコンピュータ読み取り可能な記録媒体も本発明の範疇に含まれる。
【発明の効果】
【００３９】
本発明に係る表示装置は、上記のように、複数の表示モードにて動作する表示装置において、表示映像のホワイトバランスを調整するための調整ウィンドウを生成する調整ウィンドウ生成手段と、上記調整ウィンドウ生成手段によって生成された調整ウィンドウを表示する表示手段と、上記調整ウィンドウ上にユーザによって指定された調整値を目標点として、ホワイトバランスを調整する調整手段と、を備え、上記調整ウィンドウは、ホワイトバランスの調整値を、選択されている表示モードにおけるホワイトバランスの初期値を原点とする平面であって、第１の調整方向を示す第１軸と、当該第１の調整方向とは異なる調整方向を示す第２軸とによって張られる平面上に示すものであることを特徴としている。
【００４０】
また、本発明に係る表示装置の調整方法は、上記のように、複数の表示モードにて動作する表示装置におけるホワイトバランスの調整方法であって、表示映像のホワイトバランスを調整するための調整ウィンドウを生成する調整ウィンドウ生成ステップと、上記調整ウィンドウ生成ステップにおいて生成された調整ウィンドウを表示する表示ステップと、上記調整ウィンドウ上にユーザによって指定された調整値を目標点として、ホワイトバランスを調整する調整ステップと、を含み、上記調整ウィンドウは、ホワイトバランスの調整値を、選択されている表示モードにおけるホワイトバランスの初期値を原点とする平面であって、第１の調整方向を示す第１軸と、当該第１の調整方向とは異なる調整方向を示す第２軸とによって張られる平面上に示すものである、ことを特徴としている。
【００４１】
したがって、ユーザは、複数の表示モードに対してそれぞれ最適なホワイトバランスを設定することができる。
【図面の簡単な説明】
【００４２】
【図１】本発明の一実施形態に係るテレビの構成の概略を示すブロック図である。
【図２】本発明の一実施形態に係るリモコンの構成を示す図である。
【図３】本発明の一実施形態に係る調整値設定ウィンドウの一例を示す図である。
【図４】本発明の一実施形態に係る調整値設定ウィンドウの調整値設定領域内に表示されるアイコンの色設定の一例を示す図である。
【図５】本発明の一実施形態に係る調整値設定ウィンドウに表示されるアイコンの一例を示す図である。
【図６】本発明の一実施形態における調整値設定ウィンドウの表示処理を示す画面遷移図である。
【図７】本発明の一実施形態における調整値設定ウィンドウの表示処理の流れを示すフローチャートである。
【図８】ＣＩＥｘｙ色度図における黒体輻射方向及び直交方向と、ＡＶモード毎の調整値の設定可能範囲との関係の一例を示すグラフである。
【図９】本実施形態に係るテレビのＯＳＤ移動モードにおける、調整値設定ウィンドウの移動を示す画面遷移図である。
【図１０】本発明の一実施形態の変形例における調整値設定ウィンドウの表示処理の流れを示すフローチャートである。
【図１１】本発明の一実施形態の他の変形例における調整値設定モードにおいて、白枠を有する調整値設定ウィンドウが静止画像に重畳して表示される表示画面の一例を示す図である。
【図１２】本発明の一実施形態の他の変形例における調整値設定モードにおいて、調整値設定ウィンドウ及び白画像が、それぞれ静止画像の異なる位置に重畳して表示される表示画面の一例を示す図である。
【図１３】本発明の一実施形態のさらに他の変形例に係る調整値設定ウィンドウに表示される調整値設定領域の一例を示す図である。
【図１４】本発明の一実施形態のさらに他の変形例に係る調整値設定ウィンドウに表示される調整値設定領域の他の一例を示す図である。
【図１５】本発明の一実施形態のさらに他の変形例に係る調整値設定ウィンドウに表示される調整値設定領域のさらに他の一例を示す図である。
【図１６】本発明の一実施形態のさらに他の変形例に係る調整値設定ウィンドウに表示される調整値設定領域のさらに他の一例を示す図である。
【図１７】本発明の一実施形態のさらに他の変形例に係る調整値設定ウィンドウの調整値設定領域に表示される各アイコンの色の変化を示す状態遷移図である。
【図１８】本発明の一実施形態のさらに他の変形例に係る調整値設定ウィンドウの調整値設定領域の表示される各アイコンの、ＣＩＥｘｙ色度図上における色を示すグラフである。
【発明を実施するための形態】
【００４３】
本発明の一実施形態に係る表示装置について、図１から図９を参照して説明する。但し、この実施形態に記載されている構成は、特に特定的な記載がない限り、この発明の範囲をそれのみに限定する趣旨ではなく、単なる説明例に過ぎない。なお、本実施形態に係る表示装置が、テレビジョン受像機（以降、単にテレビとも呼称する）の一部として実現される例を挙げて説明を行うが、本実施形態はこれに限定されるものではなく、パーソナルコンピュータ、カーナビゲーションシステム、携帯電話、スマートフォン、タブレット型ＰＣなどに当該表示装置を用いることもできる。
【００４４】
〔表示システム〕
まず、本実施形態に係る表示システム、及び、テレビ（表示装置）の構成について、図１を参照して説明する。図１は、本実施形態に係るテレビ１０の構成の概略を示すブロック図である。
【００４５】
図１に示すように、本実施形態に係る表示システム１は、コンテンツを再生するテレビ１０、及び、リモートコントローラ（リモコン）２０を備えている。なお、コンテンツとは、動画像、静止画像、音声などを含むデータである。
【００４６】
（テレビの構成）
次に、テレビ１０の構成について、図１を参照して説明する。テレビ１０は、図１に示すように、外部入力端子１０１、地上デジタル放送チューナ１０２、衛星放送チューナ１０３、録画再生部１０４、ＢＤドライブ１０５、映像セレクタ１０６、映像処理回路（調整手段）１０７、ＯＳＤ（On-Screen Display）生成部（調整ウィンドウ生成手段）１０
８、ＬＣＤコントローラ（表示手段）１０９、ＬＣＤ（Liquid Crystal Display）１１０、音声セレクタ１１１、音声処理回路１１２、アンプ１１３、スピーカ１１４、ＵＳＢ（Universal Serial Bus）インターフェース１１５、ＲＯＭ１１６、ＲＡＭ１１７、ＣＰＵ１１８、赤外線受光部１１９、カメラ１２０、および、ＨＤドライブ１２１を備えている。図１においては、映像信号の経路を実線で、音声信号の経路を１点鎖線で、データや制御信号の経路（バス）を太線で示している。
【００４７】
外部入力端子１０１は、映像入力端子１０１ａと音声入力端子１０１ｂとを含む。映像入力端子１０１ａは、映像信号を入力するためのものであり、例えば、ＤＶＩ端子である
。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ端子などであってもよい。
【００４８】
地上デジタル放送チューナ１０２は、地上デジタル放送により放送される放送番組を受信するためのチューナである。地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００４９】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給される。なお、地上デジタル放送チューナ１０２が何れのチャンネルを復調対象として選択するかは、ＣＰＵ１１８により制御される。
【００５０】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ２ストリームを録画再生部１０４に供給する。
【００５１】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００５２】
衛星放送チューナ１０３は、衛星放送により放送される放送番組を受信するためのチューナである。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００５３】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給される。なお、衛星放送チューナ１０３が何れのチャンネルを介して伝送されるＭＰＥＧ２データストリームを復調するかは、ＣＰＵ１１８により選択される。
【００５４】
なお、本実施形態における衛星放送チューナ１０３は、地上デジタル放送チューナ１０２と同様、異なるチャンネルを介して放送される２つの放送番組を同時に受信することが
可能なダブルチューナであることが好ましい。
【００５５】
録画再生部１０４は、録画部と再生部とを含む。録画部は、地上デジタル放送チューナ１０２および衛星放送チューナ１０３の何れかからＭＰＥＧ２ストリームを取得し、取得したＭＰＥＧ２ストリームを記録装置に書き込む。録画部は、テレビ１０に内蔵されたＢＤドライブ１０５、テレビ１０に内蔵されたＨＤドライブ１２１、および、ＵＳＢインターフェース１１５に接続されたＵＳＢ−ＨＤ（ハードディスク）ドライブ３０を、ＭＰＥＧ２ストリームを記録するための記録装置として使用することができる。再生部は、記録装置からＭＰＥＧ２ストリームを読み出し、読み出したＭＰＥＧ２ストリームから映像信号および音声信号を復号する。再生部により復号された映像信号および音声信号は、それぞれ、映像セレクタ１０６および音声セレクタ１１１に供給される。
【００５６】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、ＣＰＵ１１８によって制御される。
【００５７】
映像処理回路１０７は、映像セレクタ１０６から供給された映像信号に画質調整処理及びホワイトバランス調整処理を施す。また、映像処理回路１０７は、映像セレクタ１０６から供給された映像信号にスケーリング処理を施す。
【００５８】
ここで、画質調整処理とは、例えば、映像信号を加工することによって、その映像信号が表す映像の輝度、シャープネス、および、コントラストの少なくとも何れかを変更することを指す。
【００５９】
また、本実施形態におけるホワイトバランス調整処理とは、テレビ１０の表示する白色が、ユーザにとって所望の白色となるよう、映像処理回路１０７により、ＲＧＢ各色のゲインを調整する処理のことを指す。
【００６０】
さらに、映像処理回路１０７は、後述する調整値設定ウィンドウ（調整ウィンドウ）上に調整値設定カーソルによりユーザによって指定された調整値に対応する、ＣＩＥｘｙ色度図（ｘｙ色度図）上の目標点を目標とするホワイトバランスを調整する調整手段としての機能を有している。
【００６１】
また、スケーリング処理とは、映像信号を加工することによって、その映像信号が表す映像のサイズを拡大または縮小することを指す。映像のサイズの拡大及び縮小としては、例えば、アスペクト比を維持した拡大及び縮小、アスペクト比を維持しない拡大及び縮小、及び、映像の中心部はほぼそのままで、周辺部を拡大する非線形の拡大などを例に挙げることができる。
【００６２】
映像処理回路１０７によって加工された映像信号は、ＬＣＤコントローラ１０９に供給される。なお、映像処理回路１０７が画質およびサイズをどのように変更するかは、ＣＰＵ１１８によって制御される。
【００６３】
また、映像処理回路１０７は、映像セレクタ１０６から供給される映像信号に施す画質調整処理及びホワイトバランス調整処理を、ＡＶモード（表示モード）に応じて変更する
。なお、ＡＶモードについては後述するが、何れのＡＶモードを選択するかは、ＣＰＵ１１８によって制御される。
【００６４】
さらに、映像処理回路１０７は、表示中の映像の静止画像を生成する。具体的には、映像処理回路１０７は、ＣＰＵ１１８から静止画像を生成する旨の指示が通知された時点で映像セレクタ１０６から供給された映像信号から、静止画像を生成する。
【００６５】
また、映像処理回路１０７は、画質調整処理、ホワイトバランス調整処理、及び、スケーリング処理の少なくとも何れかが施された映像信号、又は、生成した静止画像に、ＯＳＤ生成部１０８から供給されるＯＳＤデータを重畳して、ＬＣＤコントローラ１０９に供給する。
【００６６】
ＯＳＤ生成部１０８は、ＣＰＵ１１８から供給されたＯＳＤデータからＯＳＤ画像を生成（レンダリング）する。ＯＳＤ生成部１０８が生成するＯＳＤ画像としては、電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７に供給され、映像処理回路１０７によって映像信号に重畳され、ＬＣＤコントローラ１０９に供給される。
【００６７】
また、ＯＳＤ生成部１０８は、映像処理回路１０７によるホワイトバランス調整処理に用いられるホワイトバランスの調整値をユーザに提示するためのＯＳＤ画像である調整値設定ウィンドウを生成する。なお、調整値設定ウィンドウについては後述する。
【００６８】
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００６９】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部）にて復号された音声信号が入力される。音声セレクタ１１１は、上記（１）〜（４）の音声信号のうちの何れか１つを選択する。
【００７０】
音声セレクタ１１１によって選択された音声信号は、音声処理回路１１２に供給される。なお、音声セレクタ１１１が何れの音声信号を選択するかは、ＣＰＵ１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００７１】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどの
ように変更するかは、ＣＰＵ１１８によって制御される。
【００７２】
アンプ１１３は、音声処理回路１１２から供給された音声信号に基づいて、その音声信号が表す音声を出力するようにスピーカ１１４を駆動する。
【００７３】
ＣＰＵ１１８は、赤外線受光部１１９が受信したリモコン信号、および、カメラ１２０が撮像した画像応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００７４】
また、ＣＰＵ１１８は、各放送局から提供されるＥＰＧ（Electronic Program Guide）データから放送番組テーブルを作成する機能、および、放送番組テーブルと視聴履歴とから推奨番組テーブルを作成する機能を有している。ＣＰＵ１１８によって作成される放送番組テーブルと推奨番組テーブルとについては、参照する図面を代えて後述する。なお、各放送局から提供されるＥＰＧデータは、例えば、地上デジタル放送チューナ１０２又は衛星放送チューナ１０３を用いて取得してもよいし、図示しないイーサーネット（登録商標）インターフェースを介して、インターネットに接続されたサーバから取得してもよい。
【００７５】
また、ＣＰＵ１１８は、映像信号を再生するモードであるＡＶモードを切り替える。具体的には、映像処理回路１０７に対して、ＡＶモードを切り替える旨のモード切替信号を通知する。
【００７６】
ＡＶモードには、例えば、ダイナミックモード、ユーザモード、ムービーモード、及び、ダイナミックフィックスモード（Dynamic Fix Mode：以降、ＤＦモードとも呼称する）などが含まれる。なお、ＡＶモードの切り替え方法としては、ユーザ操作によって切り替える方法や、映像信号が示すコンテンツのジャンルによって切り替える方法などを挙げることができる。コンテンツのジャンルによってＡＶモードを切り替える構成の場合、例えば、ＣＰＵ１１８は、コンテンツのジャンルが映画である場合には、ＡＶモードをムービーモードに切り替えればよい。
【００７７】
なお、ＡＶモードとして、例えば、視聴者が家庭で視聴する際の標準的なモードであるスタンダード（Standard）モード、及び、テレビ１０にゲーム機などを接続して使用する際のモードであるゲームモードなどをさらに含んでいてもよい。
【００７８】
また、ＣＰＵ１１８は、テレビ１０が店頭に置かれる場合には、映像信号が示すコンテンツのジャンルに拘らず、ＤＦモードに切り替えてもよい。なお、ＤＦモードの場合には、ＣＰＵ１１８は、予め設定されている値で映像処理回路１０７における画質調整処理、及び、ホワイトバランス調整処理を実行する旨を、映像処理回路１０７に通知する。つまり、ＤＦモードは、ユーザによる画質調整処理、及び、ホワイトバランス調整処理に参照される調整値の設定が受け付けられないモードである。
【００７９】
さらに、ＣＰＵ１１８は、ＯＳＤ生成部１０８に対し、調整値設定ウィンドウを生成する旨の設定ウィンドウ生成信号を通知する。なお、設定ウィンドウ生成信号は、例えば、所定のユーザ指示を示すリモコン信号を、リモコン２０から赤外線受光部１１９を介して取得した場合に通知される。
【００８０】
また、ＣＰＵ１１８は、映像処理回路１０７に対し、表示中の映像の静止画像を生成する旨の静止画像生成信号を通知する。なお、静止画像生成信号は、例えば、所定のユーザ指示を示すリモコン信号を、リモコン２０から赤外線受光部１１９を介して取得した場合に通知される。
【００８１】
なお、本実施形態においては、調整値設定ウィンドウ及び静止画像を生成するためにリモコン２０から送信される所定のユーザ指示を示すリモコン信号は、リモコン２０に設けられている単一のボタンが押下されたことを示すリモコン信号である。
【００８２】
ＲＯＭ１１６は、ＣＰＵ１１８によって実行されるプログラムなどの固定データが格納される、読み出し可能かつ書き込み不能なメモリである。一方、ＲＡＭ１１７は、ＣＰＵ１１８が演算のために参照するデータや、ＣＰＵ１１８が演算によって生成したデータなどの可変データが格納される、読み出し可能かつ書き込み可能なメモリである。例えば、放送番組テーブルおよび推奨番組テーブルは、このＲＡＭ１１７に格納される。
【００８３】
ＵＳＢインターフェース１１５は、外部装置を有線接続するためのインターフェースであり、具体的には、ＵＳＢ機器をテレビ１０に接続するためのインターフェースである。テレビ１０に接続可能なＵＳＢ機器としては、ＵＳＢ−ＨＤドライブ３０、ＢＤドライブ、及び、ＤＶＤドライブなどの記録装置が代表的である。
【００８４】
また、外部装置を接続するためのインターフェースも、ＵＳＢインターフェース１１５に限定されない。すなわち、ＵＳＢインターフェース１１５は、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、および、ＬＡＮなどの有線接続用インターフェースに置換することが可能である。ＳＤカードが接続されている場合には、このＳＤカードを外部装置として使用してもよい。要するに、外部装置を接続するためのインターフェースは、何を用いてもよい。
【００８５】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００８６】
（リモコン）
次に、リモコン２０の構成について、図２を参照して説明する。図２は、本実施形態に係るリモコン２０の構成を示す図である。
【００８７】
図２に示すように、リモコン２０には、電源ボタン、数字ボタンなどの他に、十字キー２０１、エンター（ＥＮＴＥＲ）キー２０２、リターン（ＲＥＴＵＲＮ）キー２０３、フリーズ（ＦＲＥＥＺＥ）キー（単一のボタン）２０４、及び、色ボタン（操作ボタン）が設けられている。色ボタンには、Ｒ（赤）ボタン２０５、Ｇ（緑）ボタン２０６、Ｙ（黄）ボタン２０７、Ｂ（青）ボタン２０８が含まれている。
【００８８】
各ボタンの何れかが押下されると、リモコン２０は、押下されたボタンに応じたリモコン信号を、赤外線送信部（不図示）を介してテレビ１０に送信する。
【００８９】
フリーズキー２０４は、押下されることにより、テレビ１０にホワイトバランスの調整値を設定する調整値設定処理（調整値設定モードとも呼ぶ）を実行させる旨のユーザ指示（所定のユーザ指示）を受け付ける。フリーズキー２０４が押下されると、リモコン２０は、テレビ１０に対し、ホワイトバランスの調整値を決定する調整値設定処理を実行する旨のリモコン信号（以降、調整値設定モード実行指示とも呼称する）を送信する。
【００９０】
（調整値設定ウィンドウ）
次に、映像処理回路１０７におけるホワイトバランス調整処理に参照される調整値を決定する調整値設定ウィンドウについて、図３を参照して説明する。図３は、本実施形態に係る調整値設定ウィンドウ５０の一例を示す図である。
【００９１】
なお、本実施形態における調整値設定ウィンドウ５０は、リモコン２０に設けられているフリーズキー２０４が押下された場合、すなわち、リモコン２０から調整値設定モード実行指示を取得した場合に表示される。
【００９２】
図３に示すように、調整値設定ウィンドウ５０には、調整値設定領域５０１、調整値設定カーソル（調整値）５０２が含まれている。また、調整値設定ウィンドウ５０の調整値設定領域５０１の下方には、調整値設定ウィンドウ５０が表示された場合の、リモコン２０に設けられている各ボタンの機能の説明（何れのボタンが押下された場合に、テレビ１０において何れの動作が実行されるかの説明）が表示されている。
【００９３】
調整値設定領域５０１に示される横軸（第１軸：第１の調整方向を示している）はＣＩＥｘｙ色度図における黒体輻射方向（いわゆる色温度方向）に対応するものであり、縦軸（第２軸：第２の調整方向を示している）はＣＩＥｘｙ色度図における等色温度方向に対応するものである。換言すれば、調整値設定領域５０１は、ＣＩＥｘｙ色度図における黒体輻射方向を示す横軸と、等色温度方向を示す軸であって横軸と直交する縦軸とによって張られる平面を含んでいる。
【００９４】
黒体輻射方向と等色温度方向との交点（以降、調整原点とも呼称する）は、選択されているＡＶモードにおけるホワイトバランスの初期値である。なお、詳細は後述するが、調整原点（原点）の値は、ＡＶモード毎に異なっている。
【００９５】
また、調整値設定領域５０１に表示される横軸及び縦軸の両端には、それぞれホワイトバランスの調整において色味の増す色を示したアイコンが表示されている。例えば、横軸の正方向（図３における横軸右側）の端部には、淡い黄色の太陽を模した画像を含むアイコンが表示されている。また、横軸の負方向（図３における横軸左側）、縦軸の正方向（図３における縦軸上側）、及び、縦軸の負方向（図３における縦軸下側）の各端部には、それぞれ、淡い青色、淡い緑色、及び、淡い赤色の太陽を模した画像を含むアイコンが表示されている。
【００９６】
調整値設定カーソル５０２は、ホワイトバランスの調整値を示すアイコンである。調整値設定カーソル５０２は、リモコン２０に設けられている十字キー２０１の何れかを押下するユーザ操作に従って、調整値設定領域５０１内を移動する。
【００９７】
調整値設定領域５０１の下方に、リモコン２０に設けられているエンターキー２０２が「ＳＴＯＲＥ」として機能することが表示されている。なお、「ＳＴＯＲＥ」とは、例えば、現在、調整値設定カーソル５０２が示している調整値設定領域５０１内の位置に対応する値をホワイトバランスの調整値として保存する機能をいう。
【００９８】
また、Ｒボタン２０５が「ＤＩＳＰ  ＯＦＦ」として機能することが表示されている。なお、「ＤＩＳＰ  ＯＦＦ」とは、例えば、調整値設定ウィンドウ５０の表示及び非表示を切り替える機能をいう。
【００９９】
さらに、調整値設定領域５０１の下方には、Ｇボタン２０６が「ＲＥＳＥＴ」として、Ｂボタン２０８が「ＥＸＩＴ」として、また、Ｙボタン２０７が「ＯＳＤ  ＭＯＶＥ」として機能することが表示されている。
【０１００】
なお、「ＲＥＳＥＴ」とは、例えば、現在の調整値設定カーソル５０２の位置をリセットし、Ｇボタン２０６が押下される直前に押下されたＲボタン２０５によって決定された調整値設定カーソル５０２の位置に調整値設定カーソル５０２を移動させる機能をいう。また、「ＥＸＩＴ」とは、調整値設定モードを終了する機能をいい、「ＯＳＤ  ＭＯＶＥ」とは、テレビ１０を、ＬＣＤ１１０に表示される調整値設定ウィンドウ５０の位置を移動させるＯＳＤ移動モードに遷移させる機能をいう。
【０１０１】
また、リターンキー２０３は、Ｂボタン２０８と同様に、調整値設定モードを終了する「ＥＸＩＴ」として機能する。
【０１０２】
なお、「ＥＸＩＴ」として機能するＢボタン２０８またはリターンキー２０３が押下された場合、テレビ１０は、静止画像の表示を終了し、映像の表示を再開してもよい。具体的には、Ｂボタン２０８またはリターンキー２０３が押下されたことを示すリモコン信号を赤外線受光部１１９を介して取得した場合に、静止画像の表示を終了して映像の表示を再開するよう、ＣＰＵ１１８が映像処理回路１０７を制御すればよい。
【０１０３】
（アイコンの色設定）
次に、調整値設定領域５０１内に表示される横軸及び縦軸の両端に表示されているアイコンの色の設定について、図４を参照して説明する。図４は、調整値設定領域５０１内に表示されるアイコンの色設定の一例を示す図である。
【０１０４】
図４（ａ）及び（ｂ）に示すように、縦軸上側のアイコン（図４（ｂ）において、上方向アイコン）をアイコン１（第３の淡色アイコン）とする。また、縦軸下側のアイコン（図４（ｂ）において、下方向アイコン）をアイコン２（第４の淡色アイコン）、横軸右側のアイコン（図４（ｂ）において、右方向アイコン）をアイコン３（第１の淡色アイコン）、横軸左側のアイコン（図４（ｂ）において、左方向アイコン）をアイコン４（第２の淡色アイコン）、とする。
【０１０５】
なお、アイコン１〜４の大きさは、図４（ａ）に示すように、例えば、４０ｐｉｘ×４０ｐｉｘ程度の大きさであればよいが、もちろんこれに限定されるものではない。
【０１０６】
アイコン１は、淡い緑色のアイコンであり、その色設定は図４（ｂ）に示すように、Ｒ＝０．８９、Ｇ＝１．００、及び、Ｂ＝０．９３である。また、アイコン２は淡い赤色のアイコンであり、その設定値はＲ＝１．００、Ｇ＝０．９１、及び、Ｂ＝０．９７である。アイコン３は淡い黄色のアイコンであり、その設定値はＲ＝１．００、Ｇ＝０．９９、及び、Ｂ＝０．９６である。また、アイコン４は淡い青色のアイコンであり、その設定値はＲ＝０．８８、Ｇ＝０．９２、及び、Ｂ＝１．００である。
【０１０７】
アイコン１の色は、ＣＩＥｃｙ色度図において、後述する黒体輻射軌跡からの正の偏差を有する色度に対応する淡色であり、アイコン２の色は、黒体輻射軌跡からの負の偏差を有する色度に対応する淡色であり、アイコン３の色は、黒体輻射軌跡に沿った低温度の色度に対応する淡色であり、アイコン４の色は、黒体輻射軌跡に沿った高温度の色度に対応
する淡色であると表現することもできる。
【０１０８】
このように、それぞれのアイコンを淡い色とすることにより、リモコン２０に設けられている色ボタン（Ｒボタン２０５、Ｇボタン２０６、Ｙボタン２０７及びＢボタン２０８）との違いをユーザが容易に認識することができる。これによって、アイコンの色と色ボタンの色とが同じである場合と比較して、ユーザに、各アイコンに各色ボタンが対応していると誤認させてしまう可能性を減らすことができる。したがって、ユーザが調整値設定カーソル５０２を移動させようとする際に、十字キーではなく、色ボタンを誤って押してしまうという誤操作を減らすことができる。
【０１０９】
なお、本実施形態では、各アイコンの色設定が図４（ｂ）に示される色設定である場合を例に挙げて説明したが、本発明はこれに限定されるものではない。４つのアイコンの色はそれぞれ、４つの色ボタンと同じ色でなく、各アイコンの方向に調整値設定カーソル５０２を移動させたときに、何色の色味が増すかが識別できる色であれば、特に限定されない。
【０１１０】
また、アイコンの模様は、図３に示すような、太陽を模した模様に限定されるものではない。例えば、図５に示すようなアイコンであってもよい。図５は、調整値設定ウィンドウ５０に表示されるアイコンの一例を示す図である。
【０１１１】
例えば、図５（ａ）に示すように、調整値設定ウィンドウ５０に表示されるアイコンは、模様のない、色設定された色だけのアイコン（単色アイコン）であってもよい。また、図５（ｂ）に示すように、調整値設定ウィンドウ５０に表示されるアイコンは、色設定された色の花の画像が含まれるアイコンであってもよい。
【０１１２】
さらに、一般的にユーザが最も注目するのは人の肌の色であることから、調整値設定ウィンドウ５０に表示されるアイコンとして、色設定された色を有する人の顔を模したアイコンが表示される構成を採用してもよい。
【０１１３】
（調整値設定ウィンドウの表示処理）
次に、図６及び図７を参照して、調整値設定ウィンドウ５０の表示処理について説明する。図６は、本実施形態における調整値設定ウィンドウ５０の表示処理を示す画面遷移図である。図７は、調整値設定ウィンドウ５０の表示処理の流れを示すフローチャートである。
【０１１４】
テレビ１０は、映像が表示されている状態で、ユーザによってリモコン２０に設けられているフリーズキー２０４が押下された旨を示すリモコン信号である調整値設定モード実行指示を取得すると、調整値設定ウィンドウ５０の表示処理を実行する。
【０１１５】
フリーズキー２０４が押下されると、テレビ１０は、図７に示すように、ＬＣＤ１１０に、静止画像及び調整値設定ウィンドウ５０を略同時に表示する（ステップＳ１０１）。
【０１１６】
具体的には、調整値設定モード実行指示を取得すると、ＣＰＵ１１８は、映像処理回路１０７に、表示中の映像の静止画像を生成する旨を通知する。映像処理回路１０７は、ＣＰＵ１１８からの通知に従って静止画像を生成する。
【０１１７】
また、調整値設定モード実行指示を取得すると、ＣＰＵ１１８は、ＯＳＤ生成部１０８に、調整値設定ウィンドウ５０を生成する旨を通知する。ＯＳＤ生成部１０８は、ＣＰＵ１１８からの通知に従って調整値設定ウィンドウ５０を生成し、映像処理回路１０７に供給する。
【０１１８】
映像処理回路１０７は、静止画像及び調整値設定ウィンドウ５０を、ＬＣＤコントローラ１０９に供給する。ＬＣＤコントローラ１０９は、静止画像に調整値設定ウィンドウを重畳して表示するよう、ＬＣＤ１１０を駆動する。これによって、図６（ａ）に示すように、静止画像に重畳されて調整値設定ウィンドウ５０が表示される。
【０１１９】
また、テレビ１０は、静止画像及び調整値設定ウィンドウ５０が表示されている状態で、ユーザによってリモコン２０のＲボタン２０５が押下されたか否かを判定する（ステップＳ１０２）。なお、テレビ１０は、Ｒボタン２０５が押下されない場合（ステップＳ１０２においてＮＯ）、Ｓ１０２の判定を繰り返す。換言すれば、テレビ１０は、Ｒボタン２０５が押下されるまで、ステップＳ１０２の判定を繰り返すことになる。
【０１２０】
Ｒボタン２０５が押下されると（ステップＳ１０２においてＹＥＳ）、テレビ１０は、調整値設定ウィンドウ５０の表示を非表示にする（ステップＳ１０３）。具体的には、Ｒボタン２０５が押下されたことを示すリモコン信号を受信すると、ＣＰＵ１１８は、ＯＳＤ生成部「１０８に、調整値設定ウィンドウ５０のＬＣＤコントローラ１０９への供給を停止する旨の指示を通知する。ＯＳＤ生成部１０８は、ＣＰＵ１１８からの通知に従って調整値設定ウィンドウ５０のＬＣＤコントローラ１０９への供給を停止し、これによって、調整値設定ウィンドウ５０が非表示になる。
【０１２１】
なお、調整値設定ウィンドウ５０が非表示となった場合には、ＬＣＤ１１０には静止画像のみが表示されていてもよいし、例えば、ＬＣＤ１１０の表示領域の下部に、例えば「FREEZER DISP ON」というＯＳＤが表示されていてもよい。「FREEZE R DISP ON」という
ＯＳＤが表示されることにより、ユーザは、Ｒボタン２０５を押下することによって調整値設定ウィンドウ５０が表示状態に切り替えられることを、容易に認識することができる。
【０１２２】
また、テレビ１０は、静止画像のみが表示されている状態で、ユーザによってリモコン２０のＲボタン２０５が押下されたか否かを判定する（ステップＳ１０４）。なお、テレビ１０は、Ｒボタン２０５が押下されない場合（ステップＳ１０４においてＮＯ）、ステップＳ１０４の判定を繰り返す。換言すれば、テレビ１０は、Ｒボタン２０５が押下されるまで、ステップＳ１０４の判定を繰り返すことになる。
【０１２３】
Ｒボタン２０５が押下されると（ステップＳ１０４においてＹＥＳ）、テレビ１０は、調整値設定ウィンドウ５０を再び表示する（ステップＳ１０５）。具体的には、Ｒボタン２０５が押下されたことを示すリモコン信号を受信すると、ＣＰＵ１１８は、ＯＳＤ生成部「１０８に、調整値設定ウィンドウ５０のＬＣＤコントローラ１０９への供給を再開する旨の指示を通知する。ＯＳＤ生成部１０８は、ＣＰＵ１１８からの通知に従って調整値設定ウィンドウ５０のＬＣＤコントローラ１０９への供給を再開し、これによって、調整値設定ウィンドウ５０がＬＣＤ１１０に表示される。
【０１２４】
上述の構成によれば、ユーザは、リモコン２０に設けられているボタン（フリーズキー）を一度押下するだけで、静止画像、及び、静止画像に重畳された調整値設定ウィンドウ５０を表示させることができる。したがって、ユーザは、簡易な操作によってホワイトバランスの調整操作を始めることができる。
【０１２５】
（ホワイトバランスの調整値設定モード）
次に、ホワイトバランスの調整値設定モードにおける処理について説明する。まず、ＡＶモードがＤＦモード以外のモードである場合を例に挙げて説明する。
【０１２６】
リモコン２０に備えられているフリーズキー２０４が押下されると、テレビ１０に調整値設定モード実行指示が入力される。調整値設定モード実行指示を取得すると、テレビ１０は、上述のようにして、ＬＣＤ１１０に静止画像及び調整値設定ウィンドウ５０を表示する。ＬＣＤ１１０に静止画像及び調整値設定ウィンドウ５０を表示すると、テレビ１０は、ユーザがリモコン２０の備える十字キー２０１を操作することで行われる、調整値設定ウィンドウ５０の調整値設定カーソル５０２の移動指示を受け付ける。
【０１２７】
リモコン２０から調整値設定カーソル５０２の移動指示を取得すると、ＣＰＵ１１８は、ＯＳＤ生成部１０８に、調整値設定カーソル５０２が移動指示の示す方向に移動した調整値設定ウィンドウ５０を生成する旨を通知する。また、ＣＰＵ１１８は、映像処理回路１０７に、調整値設定カーソル５０２が移動した後の調整値設定領域５０１内の位置に対応するホワイトバランスの調整値で静止画像のホワイトバランスを調整する旨を通知する。
【０１２８】
なお、調整値設定カーソル５０２が、移動前の調整値設定領域５０１内の位置から左（図４（ａ）におけるアイコン３）方向に移動した場合には調整値における色温度が上がり、右（図４（ａ）におけるアイコン４）方向に移動した場合には調整値における色温度が下がる。また、調整値設定カーソル５０２が、上（図４（ａ）におけるアイコン１）方向に移動した場合には調整値における等色温度の黒体輻射軌跡からの偏差が正の方向に増加し、下（図４（ａ）におけるアイコン２）方向に移動した場合には調整値における等色温度の黒体輻射軌跡からの偏差が負の方向に増加する。
【０１２９】
また、静止画像のホワイトバランスは、調整値における色温度が上がると、相対的に青の色味が増すように調整され、色温度が下がると、相対的に黄の色味が増すように調整される。また、静止画像のホワイトバランスは、調整値における等色温度の黒体輻射軌跡からの偏差が正の方向に増加すると、相対的に緑の色味が増すように調整され、等色温度の黒体輻射軌跡からの偏差が負の方向に増加すると、相対的に赤の色味が増すように調整される。
【０１３０】
ＬＣＤコントローラ１０９は、映像処理回路１０７によってホワイトバランスが調整された静止画像に、ＯＳＤ生成部１０８によって生成された、調整値設定カーソル５０２移動後の調整値設定ウィンドウ５０が重畳されて表示されるよう、ＬＣＤ１１０を駆動する。これによって、ＬＣＤ１１０には、ホワイトバランス調整後の静止画像（調整後静止画像）、及び、調整値設定カーソル５０２移動後の調整値設定ウィンドウ５０（カーソル移動後設定ウィンドウ）が表示される。
【０１３１】
ＣＰＵ１１８は、調整後静止画像、及び、カーソル移動後設定ウィンドウが表示されている状態で、リモコン２０からの新たなリモコン信号を受け付ける。
【０１３２】
例えば、さらに十字キー２０１が押下されたことを示すリモコン信号を受信すると、テレビ１０は、上述した動作によって、調整値設定カーソル５０２がさらに移動した後の調整値設定領域５０１内の位置に対応するホワイトバランスの調整値で静止画像のホワイトバランスを調整する。ＬＣＤ１１０には、さらにホワイトバランスが調整された調整後静止画像、及び、さらに調整値設定カーソル５０２の移動したカーソル移動後設定ウィンドウが表示される。
【０１３３】
また、エンターキー２０２が押下されたことを示すリモコン信号を受信すると、ＣＰＵ１１８は、エンターキー２０２が押下された時点での調整値設定カーソル５０２の調整値設定領域５０１内の位置に対応する調整値を、ホワイトバランスの調整値として決定する。なお、決定されたホワイトバランスの調整値は、例えば、ＲＡＭ１１７に格納されれば
よい。
【０１３４】
Ｒボタン２０５が押下されたことを示すリモコン信号を受信すると、ＣＰＵ１１８は、調整値設定モードを一時的に停止し、上述した動作によって、調整値設定ウィンドウ５０を非表示にする。また、調整値設定ウィンドウ５０が非表示である状態でＲボタン２０５が押下されたことを示すリモコン信号を受信すると、ＣＰＵ１１８は、調整値設定ウィンドウ５０を再表示し、調整値設定モードを再開する。
【０１３５】
Ｇボタン２０６が押下されたことを示すリモコン信号を受信すると、ＣＰＵ１１８は、十字キー２０１の押下によって移動した調整値設定カーソル５０２の位置をリセットして、Ｇボタン２０６が押下される直前に決定された調整値に対応する調整値設定領域５０１内の位置に調整値設定カーソル５０２を移動する。具体的には、ＣＰＵ１１８は、Ｇボタン２０６が押下されたことを示すリモコン信号を受信すると、調整値設定カーソル５０２を、ＲＡＭ１１７に格納されている最新の調整値に対応する調整値設定領域５０１内の位置に移動させる。
【０１３６】
Ｂボタン２０８が押下されたことを示すリモコン信号を受信すると、ＣＰＵ１１８は、ホワイトバランスの調整値設定モードを終了する。具体的には、ＣＰＵ１１８は、静止画像及び調整値設定ウィンドウ５０の表示を終了し、映像を表示する旨の指示を、映像処理回路１０７、及び、ＯＳＤ生成部１０８に通知する。映像処理回路１０７及びＯＳＤ生成部１０８は、ＣＰＵ１１８からの通知に従って、ＬＣＤコントローラ１０９への静止画像及び調整値設定ウィンドウ５０の供給を終了し、映像処理回路１０７は、ＬＣＤコントローラ１０９への映像の供給を再開する。
【０１３７】
また、Ｂボタン２０８の変わりに、例えば、出力される音声のボリュームを調整するボリュームボタン、及び、選局対象チャンネルを切り替えるチャンネルボタンが押下された場合にも、ホワイトバランスの調整値設定モードを終了してもよい。
【０１３８】
なお、ボリュームボタン又はチャンネルボタンが押下された場合に、ホワイトバランスの調整値設定モードを終了する変わりに、ホワイトバランスの調整値設定モードを一時的に中断する構成を採用してもよい。例えば、ボリュームボタンが押下された場合には、調整値設定ウィンドウ５０の表示を中断すると共に、スピーカ１１４から出力される音声のボリュームをするボリュームバーが表示されればよい。
【０１３９】
なお、この場合には、ボリュームバーが表示された後、一定期間（例えば、３秒など）以上ボリュームボタンが押下されない場合には、ボリュームバーの表示を終了すると共に調整値設定ウィンドウ５０の表示を再会することによって、ホワイトバランスの調整値設定モードを再開すればよい。
【０１４０】
さらに、Ｙボタン２０７が押下されたことを示すリモコン信号を受信すると、テレビ１０は、ＬＣＤ１１０に表示される調整値設定ウィンドウ５０の位置を移動させるＯＳＤ移動モードに遷移する。なお、ＯＳＤ移動モードについては後述する。
【０１４１】
なお、リモコン２０に備えられている各ボタン（キー）が押下されたことを示すリモコン信号の取得は、上述の順番に限定されるものではない。調整値設定モードにおいて、何れのボタンが何れのタイミングで押下されるかは、ユーザ次第である。
【０１４２】
上述の構成によれば、ユーザは、リモコン２０に設けられているボタンを一度押下するだけで、調整値設定ウィンドウ５０を非表示にした状態で、ホワイトバランスが調整された静止画像の全体を確認することができる。また、ユーザは、リモコン２０に設けられて
いるボタンを一度押下するだけで、ホワイトバランスの調整値を、直前に決定した調整値まで容易に戻すことができる。
【０１４３】
次に、ＡＶモードが、ホワイトバランスの調整を受け付けないＤＦモードである場合を例に挙げて説明する。
【０１４４】
リモコン２０に備えられているフリーズキー２０４が押下されると、テレビ１０に調整値設定モード実行指示が入力される。調整値設定モード実行指示を取得すると、テレビ１０は、ＡＶモードをＤＦモードから、ホワイトバランスの調整を受け付け可能なダイナミックモードに遷移すると共に、上述のようにして、ＬＣＤ１１０に静止画像及び調整値設定ウィンドウ５０を表示する。ＬＣＤ１１０に静止画像及び調整値設定ウィンドウ５０を表示すると、テレビ１０は、ユーザがリモコン２０の備える十字キー２０１を操作することで行われる、調整値設定ウィンドウ５０の調整値設定カーソル５０２の移動指示を受け付ける。
【０１４５】
なお、リモコン２０に備えられている各ボタンが押下されたことを示すリモコン信号を取得した場合のテレビ１０の動作は、上述した調整値設定モードにおける処理と同じであるため、説明は省略する。
【０１４６】
また、テレビ１０が店頭モードで映像を表示している場合に、調整値設定モード実行指示によってＤＦモードからダイナミックモードに遷移した場合、一定期間無操作の状態が続くと、再びＤＦモードに遷移する構成を採用してもよい。一定期間とは、例えば、５分間などを挙げることができる。
【０１４７】
（調整値の設定可能範囲）
次に、調整値設定領域５０１に表示される黒体輻射方向及び等色温度方向の値の範囲、すなわち、調整値設定モードにおいて設定可能な調整値の範囲（以降、設定可能範囲とも呼称する）について、図８を参照して具体的に説明する。なお、設定可能範囲は、ＡＶモードによって異なっている。図８は、ＣＩＥｘｙ色度図における黒体輻射方向及び等色温度方向と、ＡＶモード毎の調整値の設定可能範囲との関係の一例を示すグラフである。
【０１４８】
図８において、符号ＢＲＬを付した曲線は、黒体輻射軌跡を表している。すなわち、黒体輻射軌跡ＢＲＬ上に位置する色度点は、何れも黒体輻射のスペクトルを有しており、黒体輻射軌跡ＢＲＬ上の互いに異なる色度点は、互いに異なる黒体輻射温度に対応している。また、図８において、黒体輻射軌跡ＢＲＬに交わる複数の細破線は、各色温度を有する等色温度軌跡を示している。等色温度軌跡に沿って、黒体輻射温度からの偏差に応じた複数の等色温度点が存在している。
【０１４９】
また、図８において太実線で輪郭を示す領域は、ＡＶモードがダイナミックモードである場合の設定可能範囲を示し、太破線で輪郭を示す領域は、ＡＶモードがユーザモードである場合の設定可能範囲を示し、太点線で輪郭を示す領域はＡＶモードがムービーモードである場合の設定可能範囲を示している。
【０１５０】
なお、図８に示すＣＩＥｘｙ色度図における黒体輻射方向は、図３に示す調整値設定ウィンドウ５０における横軸と対応している。また、図８に示すＣＩＥｘｙ色度図における等色温度方向は、図３に示す調整値設定ウィンドウ５０における縦軸と対応している。すなわち、調整値設定ウィンドウ５０には、ＣＩＥｘｙ色度図において曲線で表される黒体輻射方向及び等色温度方向の座標が、直交する２軸の座標平面によって表現されている。このため、ユーザは、調整値設定ウィンドウ５０を介して調整操作を行うことによって、ホワイトバランスの黒体輻射方向の変位と等色温度方向の変位とを独立に調整することが
できるので、例えば、ｘ値及びｙ値を独立に調整する場合や、ＲＧＢ各色を独立に調整する構成に比べて、より直感的にホワイトバランスの調整を行うことができる。
【０１５１】
図８に示すように、ＡＶモードがダイナミックモードである場合の黒体輻射方向の設定可能範囲は、約８０００Ｋから約３００００Ｋの範囲である。また、ＡＶモードがユーザモードである場合の黒体輻射方向の設定可能範囲は、約７３００Ｋから約２００００Ｋの範囲であり、ムービーモードである場合の黒体輻射方向の設定可能範囲は、約５１００Ｋから約９３００Ｋの範囲である。
【０１５２】
なお、ＡＶモードが何れのモードであるかに拘らず、等色温度方向の設定可能範囲は、黒体輻射軌跡からの偏差が−０．１５Δｕｖから＋０．１５Δｕｖの範囲である。
【０１５３】
また、図８において、黒体輻射軌跡ＢＲＬと細破線との各交点、及び、細破線同士の各交点は、調整値設定ウィンドウ５０を介して設定可能な（色温度、偏差）の離散値を示している。例えば、ユーザは、調整値設定ウィンドウ５０において、リモコン２０の上ボタンを３回押下することによって、ホワイトバランスの調整値を、黒体輻射軌跡ＢＲＬ上の色度点から、黒体輻射軌跡からの偏差が＋０．１５Δｕｖである色度点まで移動させることができる。
【０１５４】
また、上記のように、各モードによって設定可能範囲が異なることから、各モードにおける調整原点も異なる。
【０１５５】
例えば、ＡＶモードがダイナミックモードである場合の調整原点の値は、（色温度、偏差）＝（約１２０００Ｋ、０．００Δｕｖ）である。また、ＡＶモードがユーザモードである場合の調整原点の値は、例えば（約１００００Ｋ、０．００Δｕｖ）であり、また、ムービーモードである場合の調整原点の値は、例えば（約６５００Ｋ、０．００Δｕｖ）である。
【０１５６】
上述のように、ＯＳＤ生成部１０８は、選択されている表示モードにおけるホワイトバランスの初期値に対応するＣＩＥｘｙ色度図上の点を調整値の調整原点とする調整値設定ウィンドウを生成する。
【０１５７】
このように、ＡＶモード毎に調整原点が異なることにより、ユーザは、各ＡＶモードにおいて最適なホワイトバランスを設定することができる。
【０１５８】
また、図８から明らかなように、ユーザは、概ね５回以下のボタンの押下によって、ホワイトバランスの調整値を、調整原点から設定可能範囲の限界まで移動させることができるので、高い利便性にてホワイトバランスの調整を行うことができる。
【０１５９】
上述の構成によって、本発明に係るテレビ１０は、調整値を極端な値に設定することによって表示される映像のホワイトバランスが崩れてしまうことを防ぐことができる。また、調整原点の異なるＡＶモードを複数有することによって、単一の表示モードしか有しない場合よりも、ユーザの嗜好に合ったホワイトバランスを提供することができる。
【０１６０】
（ＯＳＤ移動モード）
次に、ＯＳＤ移動モードについて、図９を参照して説明する。図９は、本実施形態に係るテレビ１０のＯＳＤ移動モードにおける、調整値設定ウィンドウ５０の移動を示す画面遷移図である。
【０１６１】
上述したように、Ｙボタン２０７が押下されたことを示すリモコン信号を受信すると、
テレビ１０は、ＬＣＤ１１０に表示される調整値設定ウィンドウ５０の位置を移動させるＯＳＤ移動モードに遷移する。
【０１６２】
ＯＳＤ移動モードに遷移すると、ＬＣＤ１１０には、例えば、図９（ａ）に示すように、静止画像に重畳されて調整値設定ウィンドウ５０が表示される。ＯＳＤ移動モードでは、リモコン２０に備えられている十字キー２０１を押下することにより、調整値設定ウィンドウ５０の表示位置が移動する。
【０１６３】
例えば、調整値設定ウィンドウ５０が、図９（ａ）に示すように、静止画像の左下に重畳されて表示されている状態で十字キー２０１の上ボタンが押下されると、（ｂ）に示すように、静止画像の左上に重畳された状態で調整値設定ウィンドウ５０が表示される。
【０１６４】
また、図９（ｂ）に示すように、調整値設定ウィンドウ５０が静止画像の左上に重畳されて表示されている状態で十字キー２０１の右ボタンが押下されると、（ｃ）に示すように、静止画像の右上に重畳された状態で調整値設定ウィンドウ５０が表示される。
【０１６５】
さらに、図９（ｃ）に示すように、調整値設定ウィンドウ５０が静止画像の右上に重畳されて表示されている状態で十字キー２０１の下ボタンが押下されると、（ｄ）に示すように、静止画像の右下に重畳された状態で調整値設定ウィンドウ５０が表示される。
【０１６６】
また、図９（ｄ）に示すように、調整値設定ウィンドウ５０が静止画像の右上に重畳されて表示されている状態で十字キー２０１の左ボタンが押下されると、（ａ）に示すように、静止画像の左下に重畳された状態で調整値設定ウィンドウ５０が表示される。
【０１６７】
このように、ＯＳＤ移動モードでは、調整値設定ウィンドウ５０の表示位置を移動させることができるので、ホワイトバランスを調整する際にユーザが参照したい静止画像の一部が調整値設定ウィンドウ５０によって、隠れてしまうことがない。したがって、ホワイトバランスを調整する際のユーザの利便性が向上する。
【０１６８】
なお、調整値設定ウィンドウ５０の表示位置の遷移は、図９に示す順に限定されるものではない。
【０１６９】
本実施形態では、ホワイトバランスの調整値をＡＶモード毎に設定可能な構成を例に挙げて説明したが、本発明はこれに限定されるものではない。例えば、映像信号の示すコンテンツの種類毎に調整値を設定する構成を採用してもよい。
【０１７０】
なお、本実施形態では、ホワイトバランスを調整する際に参照する表示中の映像が、静止画像である場合を例に挙げて説明したが、本発明はこれに限定されるものではない。例えば、ホワイトバランスを調整する際に参照する表示中の映像が、動画像であってもよい。この場合には、映像処理回路１０７は、リモコン２０のフリーズキー２０４が押下された場合に、静止画像を生成しなくてもよい。
【０１７１】
＜変形例１＞
次に、本実施形態の変形例について、図１０を参照して説明する。本変形例に係るテレビ１０は、図１０に示すように、調整値設定ウィンドウ５０の表示処理の流れが異なること以外は、本実施形態におけるテレビ１０と同じ構成である。図１０は、本発明の一実施形態における調整値設定ウィンドウ５０の表示処理の流れを示すフローチャートである。
【０１７２】
なお、調整値設定ウィンドウ５０の表示処理の流れが異なる以外は、本実施形態に係るテレビ１０と同様の構成であるため、ここでは説明を省略する。
【０１７３】
図１０に示すように、映像が表示されている状態で、ユーザによってリモコン２０に設けられているフリーズキー２０４が押下された旨を示すリモコン信号（静止画像を表示する旨のユーザ指示）を取得すると、テレビ１０は、ＬＣＤ１１０に静止画像を表示する（ステップＳ２０１）。
【０１７４】
具体的には、フリーズキー２０４が押下された旨を示すリモコン信号を取得すると、ＣＰＵ１１８は、映像処理回路１０７に、表示中の映像の静止画像を生成する旨を通知する。映像処理回路１０７は、ＣＰＵ１１８からの通知に従って静止画像を生成し、ＬＣＤコントローラ１０９に供給する。ＬＣＤコントローラ１０９は、映像処理回路１０７から供給された静止画像を表示するよう、ＬＣＤ１１０を駆動する。これによって、図６（ｂ）に示すように、静止画像が表示される。
【０１７５】
また、テレビ１０は、静止画像が表示されている状態で、ユーザによってリモコン２０のＲボタン２０５が押下されたか否かを判定する（ステップＳ２０２）。なお、Ｒボタンが押下されたか否かの判定は、例えば、Ｒボタンが押下された旨を示すリモコン信号（ホワイトバランスを調整する旨のユーザ指示）が取得されるか否かによって判定すればよい。
【０１７６】
テレビ１０は、Ｒボタン２０５が押下されない場合（ステップＳ２０２においてＮＯ）、Ｓ１０２の判定を繰り返す。換言すれば、テレビ１０は、Ｒボタン２０５が押下されるまで、ステップＳ２０２の判定を繰り返すことになる。
【０１７７】
Ｒボタン２０５が押下されると（ステップＳ２０２においてＹＥＳ）、テレビ１０は、静止画像に重畳して調整値設定ウィンドウ５０を表示する（ステップＳ２０３）。
【０１７８】
具体的には、フリーズキー２０４が押下された旨を示すリモコン信号を取得すると、ＣＰＵ１１８は、ＯＳＤ生成部１０８に、調整値設定ウィンドウ５０を生成する旨を通知する。ＯＳＤ生成部１０８は、ＣＰＵ１１８からの通知に従って調整値設定ウィンドウ５０を生成し、ＬＣＤコントローラ１０９に供給する。ＬＣＤコントローラ１０９は、ＯＳＤ生成部１０８から供給された調整値設定ウィンドウ５０を、映像処理回路１０７から供給された静止画像に重畳して表示するよう、ＬＣＤ１１０を駆動する。これによって、図６（ａ）に示すように、静止画像に重畳されて調整値設定ウィンドウ５０が表示される。
【０１７９】
このように、本変形例によっても、ユーザは、煩雑な操作を行うことなく、単純な二度の操作で上記調整ウィンドウを表示させることができる。
【０１８０】
なお、本変形例において、ステップＳ２０３において調整値設定ウィンドウ５０が表示された後に、図７に示す調整値設定ウィンドウ５０の表示処理（具体的には、ステップＳ１０２〜Ｓ１０５）と同様の処理を行う構成としてもよい。これによって、テレビ１０は、静止画像を表示した状態で、Ｒボタン２０５の押下により、調整値設定ウィンドウ５０の表示及び非表示を切り替えることができる。
【０１８１】
＜変形例２＞
次に、本実施形態の他の変形例について、図１１及び図１２を参照して説明する。本変形例に係るテレビ１０は、調整値設定モードにおいて、調整値設定ウィンドウ５０と共に、無彩色である白色の画像（白画像）をＬＣＤ１１０に表示する。
【０１８２】
まず、調整値設定モードにおいて、調整値設定ウィンドウ５０の周囲に白枠（白画像）５５を表示する場合について、図１１を参照して説明する。図１１は、調整値設定モード
において、白枠５５を有する調整値設定ウィンドウ５０が静止画像に重畳して表示された表示画面の一例を示す図である。
【０１８３】
ユーザによって、リモコン２０の備えるフリーズキー２０４が押下されると、テレビ１０は、調整値設定モードに遷移し、図１１に示すように、静止画像と共に、調整値設定ウィンドウ５０の周囲に白枠５５を表示した画面を表示する。
【０１８４】
具体的には、リモコン２０から調整値設定モード実行指示を取得すると、ＣＰＵ１１８は、映像処理回路（白画像生成手段）１０７に、表示中の映像の静止画像を生成する旨を通知する。映像処理回路１０７は、ＣＰＵ１１８からの通知に従って静止画像を生成する。
【０１８５】
さらに、映像処理回路１０７は、ＣＰＵ１１８からの通知に従って、白画像を生成する。映像処理回路１０７は、生成した白画像を静止画像に重畳し、画質調整処理及びホワイトバランス調整処理を施す。
【０１８６】
また、調整値設定モード実行指示を取得すると、ＣＰＵ１１８は、ＯＳＤ生成部１０８に、調整値設定ウィンドウを生成する旨を通知する。ＯＳＤ生成部１０８は、ＣＰＵ１１８からの通知に従って調整値設定ウィンドウ５０を生成し、映像処理回路１０７に供給する。このとき、映像処理回路１０７によって生成される白画像は、調整値設定ウィンドウ５０より大きいことが好ましい。
【０１８７】
映像処理回路１０７は、白画像が重畳された静止画像と、調整値設定ウィンドウ５０とを、ＬＣＤコントローラ１０９に供給する。ＬＣＤコントローラ１０９は、静止画像に重畳された白画像に、さらに調整値設定ウィンドウ５０を重畳して表示するように、ＬＣＤ１１０を駆動する。これによって、図１１に示すように、周囲に白枠５５を有する調整値設定ウィンドウ５０が、静止画像に重畳されてＬＣＤ１１０に表示されることになる。
【０１８８】
なお、映像処理回路１０７によって生成した白画像が、調整値設定ウィンドウ５０以下の大きさである場合には、ＬＣＤコントローラ１０９は、調整値設定ウィンドウが白画像の一部に重なって表示されるようにＬＣＤ１１０を駆動すればよい。
【０１８９】
上述の構成によれば、ユーザは、白枠５５を参照する際に、調整値設定ウィンドウ５０から視線を大きく外す必要がないため、ホワイトバランスの調整をよりスムーズに行うことができる。
【０１９０】
また、テレビ１０は、図１２に示すように、調整値設定ウィンドウ５０とは異なる位置に、白画像６０を表示してもよい。図１２は、調整値設定モードにおいて、調整値設定ウィンドウ５０、及び白画像６０が、それぞれ静止画像の異なる位置に重畳して表示される表示画面の一例を示す図である。
【０１９１】
この場合には、ＬＣＤコントローラ１０９は、静止画像に重畳された白画像６０と異なる静止画像上の位置に調整値設定ウィンドウ５０を重畳して表示するように、ＬＣＤ１１０を駆動すればよい。これによって、図１１に示すように、調整値設定ウィンドウ５０と白画像６０とが、静止画像上の異なる位置に重畳されてＬＣＤ１１０に表示されることになる。
【０１９２】
この構成によれば、テレビ１０は、白画像６０を調整値設定ウィンドウ５０とは別に表示する。したがって、ユーザは、白画像６０を、静止画像の一部として参照することができるため、表示中の静止画像がより自然なホワイトバランスとなるように調整することが
できる。
【０１９３】
また、白枠５５又は白画像６０は、上述したように、画質調整処理及びホワイトバランス調整処理が施された状態で表示される。したがって、ユーザは、調整値設定ウィンドウ５０上に調整値設定カーソル５０２によって指示した調整値によって、どの程度のホワイトバランス調整が行われているのかを、白枠５５又は白画像６０の、白色からの変化によって容易に知ることができる。これによって、ユーザは、ホワイトバランスを、よりユーザの好みに合わせて調整することができる。
【０１９４】
なお、上掲した特許文献４には、色グラディエーション画像などをカラーテストパターンとして表示映像と共に表示し、色調整を行いたい画像領域、及び、変更したい色を、表示映像量及びカラーテストパターン上でそれぞれ指定することによって色調整を行う技術が開示されている。
【０１９５】
しかし、特許文献４の技術では、ユーザ自身が調整する色を選択する必要があって、作業が煩雑になってしまう。また、一部分のみの色調整を行うと、映像全体として違和感が生まれてしまう場合もある。
【０１９６】
一方、本変形例に係るテレビ１０は、ホワイトバランスを調整するための基準となる白画像を白枠５５又は白画像６０として表示している。この構成によれば、ユーザは、ホワイトバランスを調整する際に、静止画像に重畳された白画像を参照することができる。したがって、ユーザは、表示されている映像によらず、白画像を基準としてホワイトバランスの調整を行うことができるため、ホワイトバランスの調整をより容易に行うことができる。
【０１９７】
＜変形例３＞
本実施形態では、調整値設定ウィンドウ５０に表示される各アイコンの色が一定である場合を例に挙げて説明したが、本発明はこれに限定されるものではない。例えば、テレビ１０は、調整値設定ウィンドウ５０に表示される各アイコンの色を、調整値設定カーソル５０２が示すＣＩＥｘｙ色度図上の調整値に合わせて変更する構成を採用してもよい。
【０１９８】
まず、調整値設定ウィンドウ５０の調整値設定領域５０１に表示される４つのアイコンの各々が単色アイコンである場合について、図１３を参照して説明する。図１３は、本変形例に係る調整値設定ウィンドウ５０に表示される調整値設定領域５０１の一例を示す図である。なお、図１３においては、調整値設定カーソル５０２の図示を省略している。
【０１９９】
図１３（ａ）は、調整値設定モードにおいて、調整値設定カーソル５０２を移動させる前の調整値設定領域５０１に表示される４つのアイコンの一例を示し、（ｂ）は、調整値設定カーソル５０２を移動させた後の４つのアイコンの一例を示している。
【０２００】
例えば、図１３（ａ）に示す状態において、十字キー２０１の上ボタンが押下されると、調整値設定カーソル５０２は、調整値設定ウィンドウ５０に表示された縦軸正方向（等色温度方向において、黒体輻射軌跡から正の偏差を有する方向、すなわち、ＣＩＥｘｙ色度図上において緑の色味が増す方向）に移動する。これによって緑の色味が増すよう静止画像のホワイトバランスが調整されると、調整値設定ウィンドウ５０に表示される各アイコンの色は、調整されたホワイトバランスと同様に緑の色味の増した色に調整される。なお、各アイコンの色の調整の詳細については、後述する。
【０２０１】
上述の構成によれば、テレビ１０は、調整値設定カーソル５０２が示すＣＩＥｘｙ色度図上の調整値に合わせて、つまり、調整値設定領域５０１上の調整値設定カーソル５０２
の位置に合わせて、調整値設定領域５０１に表示される４つのアイコンの色を変更する。これによって、テレビ１０は、調整値設定領域５０１に表示されている現在の調整値設定カーソル５０２を各方向に移動させた場合に、ホワイトバランスがどのように調整されるかを、各アイコンのいろによってユーザに提示することができる。
【０２０２】
したがって、ユーザは、調整値設定領域５０１に表示される４つのアイコンの色を参照することによって、調整値設定カーソル５０２を各方向に移動させた場合のホワイトバランスを知ることができる。これによって、ユーザは、調整値設定モードにおいて、静止画像のホワイトバランスを、より容易に所望のホワイトバランスに調整することができる。
【０２０３】
また、調整値設定領域５０１に表示される４つのアイコンは、図１４に示すように、自然の花の画像を含むアイコン（自然画アイコンとも呼称する）であってもよい。図１４は、本変形例に係る調整値設定ウィンドウ５０に表示される調整値設定領域５０１の他の一例を示す図である。なお、図１４においては、調整値設定カーソル５０２の図示を省略している。
【０２０４】
図１４（ａ）は、調整値設定モードにおいて、調整値設定カーソル５０２を移動させる前の調整値設定領域５０１に表示される４つの自然画アイコンの一例を示し、（ｂ）は、調整値設定カーソル５０２を移動させた後の４つの自然画アイコンの一例を示している。
【０２０５】
調整値設定モードにおいて参照する静止画像又は映像が自然を含んでいる場合には、ユーザは、上述の自然画アイコンを参照することによって、より容易に所望のホワイトバランスに調整することができる。なお、自然画アイコンに含まれる自然の画像は、花の画像に限定されるものではなく、例えば、木、鳥、雲、及び山などであってもよい。
【０２０６】
さらに、本変形例に係る調整値設定ウィンドウ５０に表示される調整値設定領域５０１には、４つのアイコンの代わりに、図１５に示すように、ＣＩＥｘｙ色度図における黒体輻射方向を示す横軸と、等色温度方向を示す軸であって横軸と直交する縦軸とによって張られる平面上に、当該横軸及び縦軸に対応するＣＩＥｘｙ色度図上の色が表されていても良い。
【０２０７】
この場合には、ユーザは、調整値設定領域５０１に表された色から任意の色を選択するように調整値設定カーソル５０２を移動させることによって、所望のホワイトバランスに調整すればよい。
【０２０８】
また、本変形例に係るテレビ１０は、調整値設定カーソル５０２に替えて、図１６に示すように、４つのアイコンと同様の形状の調整値設定カーソル（カーソル）５０３を表示してもよい。図１６は、本変形例に係る調整値設定ウィンドウ５０に表示される調整値設定領域５０１のさらに他の一例を示す図である。
【０２０９】
図１６（ａ）は、調整値設定カーソル５０３を４つのアイコンと同様の形状で表示した調整値設定領域５０１の一例を示し、（ｂ）は、移動前の調整値設定カーソル５０３ａと移動後の調整値設定カーソル５０３ｂとを合わせて表示した調整値設定領域５０１の一例を示している。
【０２１０】
まず、図１６（ａ）に示すように、調整値設定カーソル５０３を４つのアイコンと同様の形状で表示している状態で、リモコン２０の備える十字キー２０１の何れかを押下するユーザ操作が受け付けられる。
【０２１１】
ユーザ操作が受け付けられると、図１６（ｂ）に示すように、調整値設定領域５０１に
は、ユーザ操作によって移動した調整値設定カーソル５０３ｂが、移動する直前の調整値設定カーソル５０３ａの一部に重なるように表示される。また、調整値設定カーソル５０３ａは、調整値設定カーソル５０３が移動する直前の調整値設定領域５０１上の位置に対応するＣＩＥｘｙ色度図上の色で表示される。調整値設定カーソル５０３ｂは、調整値設定カーソル５０３が移動した後の調整値設定領域５０１上の位置（調整値）に対応するＣＩＥｘｙ色度図上の色で表示される。
【０２１２】
なお、この場合には、調整値設定ウィンドウ５０に表示される４つのアイコンの色が、調整値設定カーソル５０３の移動に伴って変更される構成を採用してもよいし、変更されない構成を採用してもよい。
【０２１３】
上記の構成によれば、本変形例に係るＯＳＤ生成部１０８は、ユーザ操作によって移動した調整値設定カーソル５０３の位置（ユーザによって指定された調整値）に対応するＣＩＥｘｙ色度図上の目標点の色を示す調整値設定カーソル５０３ｂを、ユーザ操作によって移動する直前の調整値設定カーソル５０３の位置（ユーザによって指定される直前の調整値）に対応するＣＩＥｘｙ色度図上の目標点の色を示す調整値設定カーソル５０３ａに重ねて表示する調整値設定ウィンドウ５０を生成する。
【０２１４】
したがって、本変形例に係るテレビ１０は、ユーザ操作によって移動する前の調整値設定カーソル５０３の位置に対応するＣＩＥｘｙ色度図上の色と、ユーザ操作によって移動した後の調整値設定カーソル５０３の位置に対応するＣＩＥｘｙ色度図上の色とを、併せてユーザに提示することができる。
【０２１５】
これによって、ユーザは、調整値設定カーソル５０３の移動の前後におけるホワイトバランスのＣＩＥｘｙ色度図上の目標点となる色の変化を容易に確認することができるため、より容易に所望のホワイトバランスに調整することができる。
【０２１６】
（アイコンの色変更）
次に、調整値設定領域５０１に表示される各アイコンの色の、調整値設定カーソル５０２の移動に伴う変更について、図１７及び図１８を参照して説明する。図１７は、本変形例に係る調整値設定ウィンドウ５０の調整値設定領域５０１に表示される各アイコンの色の変化を示す状態遷移図である。図１８は、本変形例に係る調整値設定ウィンドウ５０の調整値設定領域５０１に表示される各アイコンの、ＣＩＥｘｙ色度図上における色を示すグラフである。
【０２１７】
図１７（ａ）は、調整値設定カーソル５０２の移動前の各アイコンの色を示す図であり、（ｂ）は、調整値設定カーソル５０２の移動後の各アイコンの色を示す図である。
【０２１８】
図１７（ａ）に示すように、調整値設定カーソル５０２の移動前における、調整値設定領域５０１の横軸正方向のアイコンの色を１Ｒ、横軸負方向のアイコンの色を１Ｌ、縦軸正方向のアイコンを１Ｕ、縦軸負方向のアイコンを１Ｄとする。また、図１７（ｂ）に示すように、調整値設定カーソル５０２の移動後における、調整値設定領域５０１の横軸正方向のアイコンの色を２Ｒ、横軸負方向のアイコンの色を２Ｌ、縦軸正方向のアイコンを２Ｕ、縦軸負方向のアイコンを２Ｄとする。
【０２１９】
図１８に示すように、調整値設定領域５０１上の調整値設定カーソル５０２の示す位置が、ＣＩＥｘｙ色度図上の原点１である場合には、各アイコンの色は、原点１を中心として細い破線で示される各色（１Ｒ、１Ｌ、１Ｕ、及び１Ｄ）となる。
【０２２０】
このとき、例えば、ユーザによってリモコン２０の備える十字キー２０１の上ボタンが
押下されると、調整値設定カーソル５０２が調整値設定領域５０１上で縦軸正方向に移動する。これによって、ＣＩＥｘｙ色度図上の調整値設定カーソル５０２の示す位置が、原点１から、等色温度方向における、黒体輻射軌跡から正の偏差を有する方向に位置する原点２に移動する。
【０２２１】
調整値設定カーソル５０２の示す位置が、ＣＩＥｘｙ色度図上の原点２に移動すると、調整値設定領域５０１に表示される４つのアイコンの各色は、図１８に示すように、移動後の原点２を中心として太い破線で示される各色（２Ｒ、２Ｌ、２Ｕ、及び２Ｄ）となる。
【０２２２】
なお、上褐の特許文献５には、色調整手段として、色相環調整ツール及び明度調整バーを含むユーザインターフェース（ＧＵＩ）を表示し、当該ＧＵＩに従ったユーザ操作を受け付けることによって色調整を行う画像色補正装置が開示されている。
【０２２３】
しかし、特許文献５に記載の技術では、ユーザは、色相環調整ツール又は明度調整バーをどの程度動かすと、どの程度の色調整が行われるかを容易に把握することができず、色調整を行うための操作が煩雑になってしまうという問題があった。これは、画像色補正装置を利用するユーザが、色調整に詳しくなく、色相環及び明度などの言葉を容易に理解することができないことが一般的であるからである。
【０２２４】
一方、上記の構成によれば、本変形例に係るテレビ１０は、現在の調整値（調整値設定カーソル５０２の示す位置）に応じて調整値設定ウィンドウ５０の調整値設定領域５０１に表示される４つのアイコンの色を各々調整することができる。また、新たにユーザによって調整値が指定された場合には、当該新たに指定された調整値（移動後の調整値設定カーソル５０２の示す位置）に応じて調整値設定領域５０１に表示される４つのアイコンの色を各々変更することができる。
【０２２５】
したがって、ユーザは、調整値設定領域５０１に表示される４つのアイコンを参照することによって、調整値を何れの淡色アイコンの方向に移動させた場合にホワイトバランスがどのように変化するのかを確認しながら、ホワイトバランスの調整を行うことができる。これによって、ユーザは、ホワイトバランスの調整を直感的に行うことができるため、ホワイトバランスを調整するための操作が煩雑になることを防ぐことができる。
【０２２６】
〔プログラム、記憶媒体〕
テレビ１０の各ブロックは、集積回路（ＩＣチップ）上に形成された論理回路によってハードウェア的に実現してもよいし、ＣＰＵ（Central Processing Unit）を用いてソフ
トウェア的に実現してもよい。
【０２２７】
後者の場合、テレビ１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０の制御プログラムのプログラムコード（実行形式プログラム、中間コードプログラム、ソースプログラム）をコンピュータで読み取り可能に記録した記録媒体を、テレビ１０に供給し、そのコンピュータ（またはＣＰＵやＭＰＵ）が記録媒体に記録されているプログラムコードを読み出し実行することによっても、達成可能である。
【０２２８】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ
／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２２９】
また、上記プログラムコードは、通信ネットワークを介してテレビ１０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移
動体通信網、衛星通信網等が使用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線で
も使用可能である。
【０２３０】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０２３１】
本発明は、テレビジョン受像機、パーソナルコンピュータ、カーナビゲーションシステム、携帯電話、スマートフォン、タブレット型ＰＣなどに好適に適用することができる。
【符号の説明】
【０２３２】
１０            テレビ
２０            リモコン
３０            ＵＳＢ−ＨＤドライブ
５０            調整値設定ウィンドウ
５５            白枠（白画像）
６０            白画像
１０１          外部入力端子
１０２          地上デジタル放送チューナ
１０３          衛星放送チューナ
１０４          録画再生部
１０５          ＢＤドライブ
１０６          映像セレクタ
１０７          映像処理回路（調整手段、白画像生成手段）
１０８          ＯＳＤ生成部（調整ウィンドウ生成手段）
１０９          ＬＣＤコントローラ（表示手段）
１１０          ＬＣＤ
１１１          音声セレクタ
１１２          音声処理回路
１１３          アンプ
１１４          スピーカ
１１５          ＵＳＢインターフェース
１１６          ＲＯＭ
１１７          ＲＡＭ
１１８          ＣＰＵ
１１９          赤外線受光部
１２０          カメラ
１２１          ＨＤドライブ
２０１          十字キー
２０２          エンターキー
２０３          リターンキー
２０４          フリーズキー
２０５          Ｒボタン
２０６          Ｇボタン
２０７          Ｙボタン
２０８          Ｂボタン
５０１          調整値設定領域
５０２、５０３  調整値設定カーソル
【要約】
【課題】複数の表示モードに対してそれぞれ最適なホワイトバランスを設定できる表示装置を提供する。
【解決手段】本発明に係る表示装置において、映像のホワイトバランスを調整するための調整値設定ウィンドウ５０は、ホワイトバランスの調整値を、選択されている表示モードにおけるホワイトバランスの初期値を原点とする平面であって、第１の調整方向を示す第１軸と、第１の調整方向とは異なる調整方向を示す第２軸とによって張られる平面上に示す。
【選択図】図１【図１】
0005199499.tif 000002
【図２】
0005199499.tif 000003
【図３】
0005199499.tif 000004
【図４】
0005199499.tif 000005
【図７】
0005199499.tif 000006
【図８】
0005199499.tif 000007
【図１０】
0005199499.tif 000008
【図１１】
0005199499.tif 000009
【図１２】
0005199499.tif 000010
【図１３】
0005199499.tif 000011
【図１４】
0005199499.tif 000012
【図１６】
0005199499.tif 000013
【図１７】
0005199499.tif 000014
【図１８】
0005199499.tif 000015
【図５】
0005199499.tif 000016
【図６】
0005199499.tif 000017
【図９】
0005199499.tif 000018
【図１５】
0005199499.tif 000019